(57)【要約】【課題】非接触ＩＣタグを利用して、チケットに非接触ＩＣタグを埋め込み、利用者及び管理者に快適な自動改札システムを提供する。【解決手段】チケット１０は、チケット情報を格納した非接触ＩＣタグ１０１が埋め込まれている。自動改札ゲート２０は、チケット１０と無線で通信するためのアンテナ２０１と、アンテナ２０１から受信したチケット情報を読み込むデータ読み込み部２０２と、チケット情報の照合を行うデータ照合部２０３と、データ照合部２０３の照合結果に応じゲートの開閉の指示を出すゲート制御部２０４を有する構成となっている。チケットセンタ２１は、チケットの管理番号、チケット金額に応じた乗車駅から下車駅等の乗車区間情報、チケットに応じた乗車できる期日が格納されている乗車期日情報が格納されている情報格納部２１１を備える。【選択図】  図１
2005044070.tif 000002
【特許請求の範囲】
【請求項１】
チケット内容の情報を記憶するメモリ機能を備えた非接触ＩＣタグ付きチケットと、前記メモリ機能の情報を読み取れる読取部を備えた自動改札ゲートを用いた自動改札システムであって、
前記自動改札ゲートは、前記メモリ機能の情報を読み取った際に当該情報が所定の条件を満たしている場合は、前記自動改札ゲートに通行許可を指示し、前記自動改札ゲートのゲートを開き、
前記メモリ機能の情報を読み取った際に当該情報が所定の条件を満たしていない場合は、前記自動改札ゲートに通行不許可を指示し、前記自動改札ゲートのゲートを閉めることを特徴とする自動改札システム。
【請求項２】
請求項１記載の自動改札システムにおいて、
前記メモリ機能には、前記チケットを管理するための管理番号情報と、前記チケットに応じた乗車できる期日が格納されている乗車期日情報と、前記チケットの金額が格納された金額情報と、前記チケットの乗車予定の駅の情報が格納された乗車駅情報とを、有しており、
前記所定の条件を満たす場合とは、前記管理番号情報が有効な情報である条件、かつ、前記乗車期日情報が乗車できる期日内の情報である条件、かつ、前記金額情報と前記乗車駅情報から金額情報に応じた乗車駅から下車駅までの乗車区間内である条件を満たした場合のことであり、
前記所定の条件を満たさない場合とは、前記所定の条件を満たす場合の前記条件のうち１つでも満たさない場合のことを特徴とする自動改札システム。
【発明の詳細な説明】
【０００１】
【発明の属する技術分野】
本発明は、非接触ＩＣタグ付きチケットの情報を読み取ることができ、その情報から自動改札ゲートの開閉を行う自動改札システムに関するものである。
【０００２】
【従来の技術】
現在、駅、空港、バスターミナル等の自動改札ゲートでは、利用者の利便性向上及びシステム運用のコスト低減のため、非接触式自動改札ゲートが運用され始めている。非接触式自動改札ゲートは、事前に購入したチケットあるいはプリペイトカードを非接触式自動改札ゲートの発行チケットデータの読み取り部にかざすだけで、入退出の許可をすることができるシステムである。
【０００３】
しかし、チケット等は非常に小さく、薄く、折れやすい材質のため、紛失しやすく、探しづらいという問題がある。例えば、衣類のポケットにハンカチ等と併せてチケット入れた場合、ハンカチを取り出した時と同時にチケットを落としてしまい、気づかないこと等がある。また、カバン等にチケットを入れた場合、上述したように小さく、薄いため探すために時間がかかって煩わしいことがある。
【０００４】
そのため、自動改札ゲートを通過するための発行チケット及びプリペイトカード情報を携帯端末装置に格納することで、紛失しやすく、探しづらいという問題を解消する携帯端末装置の技術が開示されている（例えば、特許文献１参照）。
【０００５】
【特許文献１】
特開２００３−１０１６３９号公報
【０００６】
【発明が解決しようとする課題】
しかし、上述の技術では専用の携帯端末装置が必要であり、更に、常に前記携帯端末装置を持ち歩かなければ上述の問題を解決できないないという問題があり、実用的ではない。
【０００７】
また、近年では商品情報等を格納できる非接触ＩＣタグ等の技術が発達してきている。これらの非接触ＩＣタグは、ＲＦＩＤ（＝無線を用いた自動認証）技術を利用して、非接触で通信を行い、内部に搭載されたＩＣメモリー内のデジタル情報のやり取りを通して、物品管理や自動識別を行うことが可能な技術である。
また、これらの非接触ＩＣタグは非常に薄くて小さく、現在では０．４ミリ角程度の微細のＩＣチップで実現できるため、様々なものに埋め込むことも可能である。更に、バーコードなどと比較して、情報の追記、書き換えが自由に出来るなど、これまでにない優れた特徴があり、限りある資源の再利用を効果的に実現するためのツール及び、情報ネットワークに適合した物品管理システムや、コミュニケーションサポートのためのメディアとして、今後、広範囲な普及が見込まれる技術である。
【０００８】
そこで、本発明は、これらの非接触ＩＣタグを利用して、チケットに非接触ＩＣタグを埋め込み、利用者及び管理者に快適な自動改札システムを提供することにある。
【０００９】
【課題を解決するための手段】
本発明の請求項１記載の自動改札システムは、チケット内容の情報を記憶するメモリ機能を備えた非接触ＩＣタグ付きチケットと、前記メモリ機能の情報を読み取れる読取部を備えた自動改札ゲートを用いた自動改札システムであって、前記自動改札ゲートは、前記メモリ機能の情報を読み取った際に当該情報が所定の条件を満たしている場合は、前記自動改札ゲートに通行許可を指示し、前記自動改札ゲートのゲートを開き、  前記メモリ機能の情報を読み取った際に当該情報が所定の条件を満たしていない場合は、前記自動改札ゲートに通行不許可を指示し、前記自動改札ゲートのゲートを閉めることを特徴とする。
【００１０】
また、本発明の請求項２記載の通信システムは、請求項１記載の自動改札システムにおいて、前記メモリ機能には、前記チケットを管理するための管理番号情報と、前記チケットに応じた乗車できる期日が格納されている乗車期日情報と、前記チケットの金額が格納された金額情報と、前記チケットの乗車予定の駅の情報が格納された乗車駅情報とを、有しており、前記所定の条件を満たす場合とは、前記管理番号情報が有効な情報である条件、かつ、前記乗車期日情報が乗車できる期日内の情報である条件、かつ、前記金額情報と前記乗車駅情報から金額情報に応じた乗車駅から下車駅までの乗車区間内である条件を満たした場合のことであり、前記所定の条件を満たさない場合とは、前記所定の条件を満たす場合の前記条件のうち１つでも満たさない場合のことを特徴とする。
【００１１】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【００１２】
ここで、本発明に用いられる非接触ＩＣタグ付きチケットについて、外部装置（例えば自動改札ゲート）とのデータ通信を非接触で行うメモリ機能には、「非接触ＩＣタグ」、「非接触データキャリア」、「無線ＩＣタグ」、「非接触ＩＣ」、「非接触ＩＣラベル」、「ＲＦＩＤタグ」、「共振タグ」等と、種々の名称で表現される場合もあるので、本発明においては、代表して「非接触ＩＣタグ」と表現し、前記のように表現されている名称のものも包含するものとする。
【００１３】
図１は、本発明の実施の形態のシステム構成を示すブロック図である。チケット１０は、チケット情報を格納した非接触ＩＣタグ１０１が埋め込まれている。ここで、チケット情報とは、チケット自体の管理番号、購入日、チケットの金額、乗車駅等の情報を格納したもの言う。自動改札ゲート２０は、チケット１０と無線で通信するためのアンテナ２０１と、アンテナ２０１から受信したチケット情報等を読み込むデータ読み込み部２０２と、チケット情報の照合を行うデータ照合部２０３と、データ照合部２０３の照合結果に応じゲートの開閉の指示を出すゲート制御部２０４を有する構成となっている。チケットセンタ２１は、チケットの管理番号、チケット金額に応じた乗車駅から下車駅等の乗車区間情報、チケットに応じた乗車できる期日が格納されている乗車期日情報が格納されている情報格納部２１１を備えている。
【００１４】
次に、図１の動作について説明する。まず、自動改札ゲート２０は、チケット１０の非接触ＩＣタグ１０１からアンテナ２０１を介してチケット情報をデータ読み込み部２０２で読み込み、データ照合部２０３でチケットセンタ２１の情報格納部２１１に格納されているチケット管理番号、チケット金額に応じた乗車駅から下車駅等の乗車区間情報、及びチケットに応じた乗車できる期日が格納されている乗車期日情報とのデータの照合を行い、照合結果をゲート制御部２０４に送信する。データ照合の結果、読み込んだチケット情報が情報記憶部２１１に格納されてた乗車区間内及び乗車期間内であれば、ゲート制御部２０４はゲートの開く指示を出し、チケット購入者は自動改札ゲート２０を通過することができる。逆に、データ照合の結果、読み込んだチケット情報が情報記憶部２１１に格納されてた乗車区間外又は乗車期間外又はチケット情報が無効であれば、ゲート制御部２０４はゲートの閉じる指示を出し、チケット購入者は、自動改札ゲート２０を通過することができない。また、自動改札ゲート通過後のチケットに対して、再度自動改札ゲートの通過を避けるため、チケット情報を無効化する処理を行う。具体的には、ゲート制御部で２０４で通過を許可したチケット管理番号を、自動改札ゲート２０を介してチケットセンタ２１の情報格納部２１１に送信し、その受信したチケット管理番号を有するチケット情報は利用できないよう管理する。
【００１５】
図２は、非接触ＩＣタグ付きチケットのチケット情報の一例を示す図である。チケット１０の非接触ＩＣタグ１０１には、チケット管理番号１１１、乗車期日情報１１２、チケット金額１１３、乗車駅情報１１４が格納されている。チケット管理番号１１１は、そのチケット自体の管理番号が格納されており、チケット管理番号に応じてチケット情報が異なるため管理するための番号として利用される。乗車期日情報１１２は、その購入チケットに応じた乗車できる期日が格納されており、そのチケットの有効期間であるかを把握するために利用される。チケット金額１１３は、チケット金額が格納されており、また、乗車駅情報１１４は、乗車予定の駅の情報が格納されており、これらはチケット金額に応じた乗車駅から下車駅等の乗車区間情報を得るために利用される。
【００１６】
次に、本発明の実施の形態にかかる制御フローを説明する。図３は、本発明の実施の形態にかかる制御フローを示すフローチャートである。まず、自動改札ゲート２０は、チケット１０の非接触ＩＣタグ１０１からアンテナ２０１を介してチケット情報をデータ読み込み部２０２で読み込み（Ｓ１１）、データ照合部２０３でチケットセンタ２１の情報格納部２１１に格納されているチケット管理番号、チケット金額に応じた乗車駅から下車駅等の乗車区間情報、及びチケットに応じた乗車できる期日が格納されている乗車期日情報とのデータの照合を行う（Ｓ１２）。データ照合の際に、読み込んだチケット情報のチケット管理番号が有効な情報か否かの判定を行い（Ｓ１３）、情報記憶部２１１に格納されている有効な情報である場合は（Ｓ１３でＹｅｓ）、Ｓ１４の処理に進む。無効な情報である場合は（Ｓ１３でＮｏ）、ゲート制御部２０４はゲートの閉じる指示を出し、チケット購入者は自動改札ゲート２０を通過することができない（Ｓ１９）。次に、Ｓ１４の処理について説明する。Ｓ１４の処理は、データ照合の際に、読み込んだチケット情報の乗車期日情報が乗車期日内か否かの判定を行い、情報記憶部２１１に格納されてた乗車区間内であれば（Ｓ１４でＹｅｓ）、Ｓ１５の処理に進む。乗車期間外な情報である場合は（Ｓ１４でＮｏ）、ゲート制御部２０４はゲートの閉じる指示を出し、チケット購入者は自動改札ゲート２０を通過することができない（Ｓ１９）。続いて、Ｓ１５の処理について説明する。Ｓ１５の処理は、データ照合の際に、読み込んだチケット情報の乗車区間情報が乗車区間内か否かの判定を行い、情報記憶部２１１に格納されてた乗車区間内であれば（Ｓ１５でＹｅｓ）、ゲート制御部２０４はゲートの開く指示を出し、チケット購入者は自動改札ゲート２０を通過することができる（Ｓ１６）。乗車区間外な情報である場合は（Ｓ１５でＮｏ）、ゲート制御部２０４はゲートの閉じる指示を出し、チケット購入者は自動改札ゲート２０を通過することができない（Ｓ１９）。また、チケット購入者が自動改札ゲート通過後は（Ｓ１７）、自動改札ゲート通過後のチケットに対して、再度自動改札ゲートの通過を避けるため、ゲート制御部で２０４で通過を許可したチケット管理番号を、自動改札ゲート２０を介してチケットセンタ２１の情報格納部２１１に送信し、その受信したチケット管理番号を有するチケット情報は利用できないよう無効化処理を行う（Ｓ１８）。以上の処理を行うことで、チケットに非接触ＩＣタグを埋め込こんだチケットを利用した自動改札システムにおいて、利用者及びシステム管理者に快適な自動改札システムを提供することができる。
【００１７】
また、本発明において、チケットセンタ２１に情報格納部２１１が設けられているが、この情報格納部２１１は自動改札ゲート２０の内部に設けても、上述で説明した処理と同様な処理が可能である。
【００１８】
【発明の効果】
このように本発明によれば、チケットに非接触ＩＣタグを埋め込こんだチケットを利用した自動改札システムを用いることで、利用者及びシステム管理者に快適な自動改札システムを提供することができる。
【図面の簡単な説明】
【図１】本発明の実施の形態のシステム構成を示すブロック図である。
【図２】非接触ＩＣタグ付きチケットのチケット情報の一例を示す図である。
【図３】本発明の実施の形態にかかる制御フローを示すフローチャートである。
【符号の説明】
１０    チケット
１０１  非接触ＩＣタグ
２０    自動改札ゲート
２０１  アンテナ
２０２  データ読み込み部
２０３  データ照合部
２０４  ゲート制御部
２１    チケットセンタ
２１１  情報格納部
【図１】
2005044070.tif 000003
【図２】
2005044070.tif 000004
【図３】
2005044070.tif 000005